(57)【要約】【課題】震災瓦礫や津波堆積物等の災害廃棄物の処理に際して、各種の基準に基づいて災害廃棄物を手作業で選別する前処理として、災害廃棄物を現場環境に対応して小回りよく安全に洗浄するための災害廃棄物の洗浄方法を提供することを目的とする。【解決手段】災害廃棄物１をトロンメルバケット４内に掬い上げた後、トロンメルバケット４のトロンメル５を回転駆動させるとともに、トロンメル５内に洗浄水１０（１０ａ，１０ｂ）を供給することにより、トロンメル５の回転とトロンメル５内に供給された洗浄水１０（１０ａ，１０ｂ）によってトロンメル５内の災害廃棄物１を洗浄する災害廃棄物の洗浄方法を提供する。【選択図】図１
2014117656.tif 000002
【特許請求の範囲】
【請求項１】
災害廃棄物をトロンメルバケット内に掬い上げた後、トロンメルバケットのトロンメルを回転駆動させるとともに、トロンメル内に洗浄水を供給することにより、トロンメルの回転とトロンメル内に供給された洗浄水によってトロンメル内の災害廃棄物を洗浄することを特徴とする災害廃棄物の洗浄方法。
【請求項２】
災害廃棄物を掬い上げたトロンメルバケットを洗浄水槽の上方に移動させて、トロンメルを回転駆動させるとともに、トロンメル内に洗浄水を供給する請求項１記載の災害廃棄物の洗浄方法。
【請求項３】
災害廃棄物が、選別前の災害廃棄物であり、選別前に災害廃棄物を洗浄する請求項１又は２記載の災害廃棄物の洗浄方法。
【請求項４】
洗浄水として、洗浄水槽に貯留した清水を使用する請求項１，２又は３記載の災害廃棄物の洗浄方法。
【請求項５】
トロンメルに供給されて、災害廃棄物を洗浄することによって汚水となった洗浄水を洗浄水槽に貯留し、トロンメルに循環供給する請求項１，２，３又は４記載の災害廃棄物の洗浄方法。
【請求項６】
トロンメルのスクリーンとして、４０ｍｍ以上又は１３ｍｍ以上の礫を分級できるスクリーンを使用する請求項１，２，３，４又は５記載の災害廃棄物の洗浄方法。
【請求項７】
洗浄水槽に沈殿させた汚泥を固形分と廃液に分級した後、それぞれ廃棄する請求項１，２，３，４，５又は６記載の災害廃棄物の洗浄方法。
【請求項８】
トロンメルバケットをバックホウに装備することにより、トロンメルバケットを災害廃棄物の貯留場所まで移動して災害廃棄物を掬い上げてトロンメルを回転駆動し、更に、トロンメル内の災害廃棄物の洗浄が終了した後に洗浄済み災害廃棄物置場まで移動させて、トロンメル内で洗浄した災害廃棄物を、洗浄済み災害廃棄物置場に排出する請求項１，２，３，４，５，６又は７記載の災害廃棄物の洗浄方法。
【請求項９】
災害廃棄物として、震災瓦礫及び／又は津波堆積物を洗浄する請求項１，２，３，４，５，６，７又は８記載の災害廃棄物の洗浄方法。
【発明の詳細な説明】
【技術分野】
【０００１】
本発明は、震災瓦礫や津波堆積物等の災害廃棄物の処理に際して、各種の基準に基づいて災害廃棄物を手作業で選別する前処理として、災害廃棄物を現場環境に対応して小回りよく安全に洗浄するための災害廃棄物の洗浄方法に関するものである。
【背景技術】
【０００２】
２０１１年３月１１日に発生した未曾有の災害である東日本大震災によって、今まで経験したこともない大量の震災瓦礫や津波堆積物等の災害廃棄物が発生している。その処理のために、環境省の作成した「東日本大震災に係る災害廃棄物処理指針」の下に国を挙げて取り組んでいる。しかしながら、災害発生後１年９月になる現在においても、その処理は遅々として進んでいないのが現状である。
【０００３】
東日本大震災による災害廃棄物の処理に際しては、原則として、一次仮置き場で可燃物，不燃物，特定品目（廃家電製品，有害廃棄物／油，アスベスト，ＰＣＢ，フロンガス，ガスボンベ）等に選別処理したものを、二次仮置き場に搬送し、その後、破砕、焼却等による中間処理によって、リサイクルによる再資源化を図るとともに、焼却や埋立によって最終処理する災害廃棄物の減量化に努めるとされている。
【０００４】
災害廃棄物は一般廃棄物として取り扱われるため、選別作業に際しては振動選別，比重選別，磁力選別，スクリーン選別，風力選別等の各種の機械的な選別手段が利用可能である。例えば、建設廃棄物の選別手段として、建設廃棄物を収集して２００ｍｍ以下に破砕するべくジョークラッシャに投入し、破砕廃棄物を移送しながら磁選機で金属材を分離し、平面振動式スクリーンに受け入れて土砂と４０ｍｍの骨材大きさに分離選別する建設廃棄物処理装置（特許文献１）や、家庭電化製品、ＯＡ機器および自動車等の廃棄物を破砕してその破砕物を選別する廃棄物選別方法において、破砕物を適正粒度にふるい分けた後、定量供給機によって磁選機に入れ、除鉄して非磁性物を上昇水流が通過する選別筒内に落下せしめ、選別筒内を上昇する水速より速い沈降速度をもつ粒子と、上昇水によって浮上する粒子との２産物に沈降分離させる廃棄物選別方法（特許文献２）等の機械的な選別手段が豊富に提供されている。
【先行技術文献】
【特許文献】
【０００５】
【特許文献１】実用新案登録第３０５２１２６号公報
【特許文献２】特開２０００−５６２６号公報
【発明の概要】
【発明が解決しようとする課題】
【０００６】
しかしながら、災害廃棄物、特に東日本大震災のような極めて多数の人名や財産が瞬時にして失われた災害における災害廃棄物においては、一般廃棄物と大きく事情を異にする。即ち、災害廃棄物の中には、アルバムや記念の品等の掛け替えのない思い出の品や、通帳，現金，各種権利証書等の個人財産が含まれている可能性があり、更には被災者の遺骸も含まれている可能性も考慮する必要がある。そのため、居住家屋や社会生活に関連する廃棄物等の個人生活と密接な関係を有する災害廃棄物の選別は手作業により行う必要があることが多い。また、処理すべき災害廃棄物の量が少ない小規模の選別作業も手作業に頼らざるを得ない。更に、リサイクル可能な資源を選別する場合にも小規模の場合は手作業による選別に頼らざるを得ない。そのため、前記した特許文献１，２に示すような機械的な選別手段を使用できないケースが多数存在する。
【０００７】
加えて、東日本大震災発生後、既に１年９月も経過しており、その間放置された災害廃棄物は、内容物の腐敗や時間経過とともに劣化し、悪臭を放ったり衛生面での問題を生じるようになっている。また、津波堆積物等の潮を被った災害廃棄物も同様に劣化が激しい。そのため、選別作業の環境は劣悪となっており、選別効率を阻害するばかりか、作業者の健康維持の観点からも看過できない問題となっている。また、機械選別を行う場合においても長期間の放置による災害廃棄物の劣化や汚染に起因する作業環境の悪化が問題となっている。
【０００８】
そこで、本発明は、震災瓦礫や津波堆積物等の災害廃棄物の処理に際して、各種の基準に基づいて災害廃棄物を手作業で選別する前処理として、災害廃棄物を現場環境に対応して小回りよく安全に洗浄するための災害廃棄物の洗浄方法を提供することを目的としている。
【課題を解決するための手段】
【０００９】
本発明はその目的を達成するために、災害廃棄物をトロンメルバケット内に掬い上げた後、トロンメルバケットのトロンメルを回転駆動させるとともに、トロンメル内に洗浄水を供給することにより、トロンメルの回転とトロンメル内に供給された洗浄水によってトロンメル内の災害廃棄物を洗浄する災害廃棄物の洗浄方法を基本として提供する。災害廃棄物を掬い上げたトロンメルバケットを洗浄水槽の上方に移動させて、トロンメルを回転駆動させるとともに、トロンメル内に洗浄水を供給する。
【００１０】
そして、災害廃棄物が、選別前の災害廃棄物であり、選別前に災害廃棄物を洗浄し、洗浄水として、洗浄水槽に貯留した清水を使用する。また、トロンメルに供給されて、災害廃棄物を洗浄することによって汚水となった洗浄水を洗浄水槽に貯留し、トロンメルに循環供給する。トロンメルのスクリーンとして、４０ｍｍ以上又は１３ｍｍ以上の礫を分級できるスクリーンを使用し、洗浄水槽に沈殿させた汚泥を固形分と廃液に分級した後、それぞれ廃棄する。
【００１１】
トロンメルバケットをバックホウに装備することにより、トロンメルバケットを災害廃棄物の貯留場所まで移動して災害廃棄物を掬い上げてトロンメルを回転駆動し、更に、トロンメル内の災害廃棄物の洗浄が終了した後に洗浄済み災害廃棄物置場まで移動させて、トロンメル内で洗浄した災害廃棄物を、洗浄済み災害廃棄物置場に排出し、災害廃棄物として、震災瓦礫及び／又は津波堆積物を洗浄する。
【発明の効果】
【００１２】
上記構成の本発明によれば、災害廃棄物を選別前に、選別現場で選別作業に応じて小量ずつバッチ式で洗浄することができるため、選別作業、特に手作業による選別作業の環境を向上させることができる。また、バッチ式の洗浄作業のため、洗浄状態をその都度確認することができる。しかもバックホウに装備した場合には災害廃棄物の集積現場での機動性をも確保することができる。
【図面の簡単な説明】
【００１３】
【図１】本発明にかかる災害廃棄物の洗浄方法のシステム図。
【図２】本発明の工程説明図。
【図３】本発明の工程説明図。
【図４】本発明の工程説明図。
【発明を実施するための形態】
【００１４】
以下図面に基づいて本発明にかかる災害廃棄物の洗浄方法の実施形態を説明する。本発明が対象とする災害廃棄物（Disaster Waste）は、震災瓦礫や津波堆積物等の地震や津波、洪水などの災害に伴って発生する廃棄物のことである。東日本大震災では、過去の震災を上回るぼう大な量の災害廃棄物が発生しており、処理方針に基づいて集積され、処理に着手はしているが、その目途は立っていないのが実情である。
【００１５】
図１は、本発明にかかる災害廃棄物の洗浄方法を概略的に示すシステム図、図２〜図４は工程説明図である。図において、１は震災瓦礫や津波堆積物等の災害廃棄物であって、集積されたまま長期間放置されることにより、日々劣化や汚染が進み、腐敗や悪臭を伴っている。そのため、手作業による選別を行うには劣悪な環境となっており、選別作業の遅れの大きな原因となっている。
【００１６】
先ず、図１のステップＡ及び図２に示すように、アーム３の先端にアタッチメントとしてトロンメルバケット４を装着したバックホウ２を、集積した災害廃棄物１まで移動させる。本発明はトロンメルバケット４を使用して、災害廃棄物１の洗浄を行うことよって、災害廃棄物１を選別可能な状態とし、選別作業の環境を改善することを目的とする。本発明で使用するトロンメルバケット４そのものはバックホウ２のアーム３の先端に装着されて使用される公知の構成であって、バケット内に円筒形の回転篩であるトロンメル５を回転自在に装備している。このトロンメル５はバックホウ２の油圧ユニットからの油圧によって所定速度で回転し、バケット内の収納物を天地反転させて、トロンメル５のスクリーンによって収納物を篩い分けて分級することができる。
【００１７】
そして、ステップＡの状態から、アーム３を駆動させてトロンメルバケット４内に災害廃棄物１を掬い取って、ステップＢに示す災害廃棄物１の掬い取りを行う。次に、ステップＣ及び図３に示すようにバックホウ２を洗浄水槽６まで移動させて、トロンメルバケット４を洗浄水槽６の上方に設置する。図３におけるバックホウ２はこのステップＣの状態を示している。図３に示す状態からバックホウ２を走行させることによって、ステップＡに示す災害廃棄物１を掬い取ることができる位置に移動することができる。
【００１８】
洗浄水槽６は所定容積サイズの槽であり、水中ポンプ８が設置されている。水中ポンプ８からは供給管９が上方に延設され、供給管９の先端にノズル９ａが装備されている。ステップＣにおけるトロンメルバケット４は、図３に示すように、ノズル９ａに対面するように洗浄水槽６の上方に設置される。
【００１９】
次に、ステップＤ及び図３に示すように、清水槽（図示略）からポンプを使用して洗浄水１０ａ（清水）を洗浄水槽６に供給する。この洗浄水１０ａ（清水）は災害廃棄物１の洗浄に使用できる水であればどのようなものであってもよい。洗浄水槽６に一定量の洗浄水１０ａ（清水）が貯留されると、ステップＥ及び図３に示すように、供給管９及びノズル９ａを介して洗浄水１０ａ（清水）をトロンメルバケット４に供給する。なお、洗浄水１０ａ（清水）を所定の圧力で噴射すると、洗浄力を向上させることができる。併せて、トロンメル５を回転駆動させる。ステップＦに示すように、洗浄水１０ａ（清水）の供給とトロンメル５の回転を連続的に行うことによって、トロンメルバケット４内に収納された災害廃棄物１はトロンメルバケット４内において洗浄される。
【００２０】
一方、災害廃棄物１を洗浄して汚れた洗浄水１０ｂ（汚水）及び災害廃棄物１から除去された汚れはトロンメル５のスクリーンを通過して、ステップＧに示すように、洗浄水１０ｂ（汚水）として洗浄水槽６に循環して貯留される。なお、トロンメル５のスクリーンは４０ｍｍを超える礫を分級できるメッシュサイズとしたが、災害廃棄物１の種別に応じて適宜そのサイズを設定するものである。
【００２１】
洗浄された洗浄済災害廃棄物１ａは、ステップＨ及び図４に示すようにトロンメルバケット４から所定の位置に排出されて、ステップＩに示すように集積される。その後、ステップＪに示すように所定の基準で手作業で選別され、ステップＫに示すように選別済災害廃棄物１ｂとして、再利用或いは最終処分されることとなる。以後、この動作を繰り返すことによって、バッチ処理により、災害廃棄物１を洗浄する。
【００２２】
一方、洗浄水槽６に循環させた洗浄水１０ｂ（汚水）は洗浄水槽６に貯留され、洗浄水１０ａ（清水）とともに再びステップＥに示すように洗浄水１０（１０ａ，１０ｂ）としてトロンメルバケット４に供給される。そして、洗浄水槽６内の洗浄水１０（１０ａ，１０ｂ）の汚れがひどくなったり、災害廃棄物１から除去された泥土や礫等の堆積物が溜まると、泥水ポンプ１１を使用して洗浄水槽６から他の処理槽（図示略）に移送し、ステップＬに示すように所定の基準で分級し、ステップＭに示す廃液１２、及びステップＮに示す固形分１３とする。そして、廃液１２はステップＯに示す廃棄槽１４に貯留して、ステップＰに示すように廃棄する。同様に、固形分１３はステップＱに示す廃棄槽１５に貯留して、ステップＲに示すように廃棄する。
【産業上の利用可能性】
【００２３】
上記構成の本発明によれば、災害廃棄物を選別前に、選別現場で選別作業に応じて小量ずつバッチ式で洗浄することができるため、選別作業、特に手作業による選別作業の環境を向上させることができる。また、バッチ式の洗浄作業のため、洗浄状態をその都度確認することができる。しかもバックホウに装備した場合には災害廃棄物の集積現場での機動性をも確保することができる。
【符号の説明】
【００２４】
１…災害廃棄物
１ａ…洗浄済災害廃棄物
１ｂ…選別済災害廃棄物
２…バックホウ
３…アーム
４…トロンメルバケット
５…トロンメル
６…洗浄水槽
８…水中ポンプ
９…供給管
９ａ…ノズル
１０…洗浄水
１０ａ…洗浄水（清水）
１０ｂ…洗浄水（汚水）
１１…泥水ポンプ
【図１】
2014117656.tif 000003
【図２】
2014117656.tif 000004
【図３】
2014117656.tif 000005
【図４】
2014117656.tif 000006